(57)【特許請求の範囲】
【請求項１】
表示用信号を受けて頭部装着型表示器に表示する表示装置であって、
表示信号を光伝送用に変調する変調器と発光素子と、この発光素子の前に配置されたレンズからなる特定の放射角を持つ投光装置と、受光装置とからなるインターフェイス装置と、
小型の表示器とハーフミラー、レンズ、液晶によるシャッター及び前面にレンズが配置され、前記投光装置からの光伝送の信号を受光する受光素子と、該光伝送の信号を復調する復調器と、発光素子とからなる頭部装着型表示器と
から構成されると共に、頭部装着型表示器側の発光素子からの個体識別信号をインターフェイス装置側の受光装置で受信し、照合部で照合し、正当なものであれば前記変調器で表示信号を符号化し、不当なものであれば警告メッセージを符号化する制御信号を変調器に送り、前記頭部装着型表示器側が受信するよう構成された個体識別機能付き表示装置。
【発明の詳細な説明】
【０００１】
【発明の属する技術分野】
この発明は、電子計算機( パーソナルコンピュータ、ＣＡＤ端末等）の表示装置に関する。
【０００２】
【従来の技術】
従来、電子計算機の表示装置にはＣＲＴを用いた表示器や液晶パネルを用いた表示器が用いられてきた。
【０００３】
【発明が解決しようとする課題】
しかしながら、ＣＲＴを用いたものは高解像度のものを必要とするとき、ＣＲＴ自体の容積、重量が大きくなり設置には広い場所を必要とし搬入搬出も大変であった。
【０００４】
液晶パネルは高解像度、大画面のものを得ることは現在のところ困難である。また、ＣＲＴや液晶パネルを用いたものでは後方から表示内容を盗み見される恐れがあった。
【０００５】
本発明は上記課題を解決するために創案されたもので、容積、重量を小さくし狭い場所でも設置に困ることがなく、情報秘匿性を有する電子計算機の表示装置を提供することを目的とする。
【００１６】
【課題を解決するための手段】
本発明は、表示用信号を受けて頭部装着型表示器に表示する表示装置であって、表示信号を光伝送用に変調する変調器と発光素子と、この発光素子の前に配置されたレンズからなる特定の放射角を持つ投光装置と、受光装置とからなるインターフェイス装置と、小型の表示器とハーフミラー、レンズ、液晶によるシャッター及び前面にレンズが配置され、前記投光装置からの光伝送の信号を受光する受光素子と、該光伝送の信号を復調する復調器と、発光素子とからなる頭部装着型表示器とから構成されると共に、頭部装着型表示器側の発光素子からの個体識別信号をインターフェイス装置側の受光装置で受信し、照合部で照合し、正当なものであれば前記変調器で表示信号を符号化し、不当なものであれば警告メッセージを符号化する制御信号を変調器に送り、この頭部装着型表示器側が受信するよう構成されている。
【００１７】
【発明の実施の形態】
本発明の一実施例の概念図を図１に示す。
【００１８】
図１において１は頭部装着型表示器である。その内部には、小型表示器２（例えば光源３冷陰極放電管と小型液晶パネル４で構成される）が装備されている。この小型表示器２の映像はハーフミラー５及び、ミラー６で左右に分配され、左右それぞれ遠近感の調整用レンズ７ａ、７ｂを通り、左右それぞれに配置されたハーフミラー８ａ、８ｂで反射し遠近感の調整用レンズ９ａ、９ｂを通り、左右それぞれの目に届く。
【００１９】
ハーフミラー８ａ、８ｂの前方には液晶によるシャッター１０ａ、１０ｂがそれぞれ配置されており、さらにその前方に遠近感の調整用レンズ１１ａ、１１ｂが配置されている。
【００２０】
また、頭部装着型表示器１の前面には発光素子１２、放射角調整用レンズ１３からなる投光器１４が備えられており、そこから指向性を持った光、例えば赤外線が放射される。
【００２１】
さらに、頭部装着型表示器の各部を制御し、電子計算機からの表示信号を処理するための制御部１５が装備されている。
【００２２】
前記投光器１４からの信号を受光するためにレンズ１６及び受光素子１７、信号処理部１８を備えた受光装置１９が作業者前方に置かれる。
【００２３】
図２は本発明を使用する時の概念図である。
【００２４】
作業者２１が頭部装着型表示器１を装着し、机上に電子計算機の入力装置２２たとえばキーボード、マウスが置かれており、その向こうに受光装置１９が置かれる。
【００２５】
作業者２１が電子計算機を操作する場合机に向かい前方を見る姿勢をとることとする。
【００２６】
この時、頭部装着型表示器１の前面にある投光器１４から放射される指向性を持った光２３はちょうど受光装置１９に当たるように配置する。
【００２７】
投光器１４からの放射角の調整により、作業者２１が電子計算機を操作する場合の姿勢の範囲を決定することができ、例えば作業者２１が横にある書類を見ようとした場合は受光装置１９に信号が届かなくなるのでそれを感知して電子計算機の表示から前方の視野への切り替えを光源３の消灯及び液晶によるシャッター１０ａ、１０ｂの開放により行なう。
【００２８】
この事により、作業者２１は頭部装着型表示器をいちいち外すことなく見る方向を変えることによって他のものも見ることができ作業効率の低下が無い。
【００２９】
図３は信号処理系のブロック図である。
【００３０】
電子計算機３１からの表示信号は入力アンプ３２を通りアナログ／ディジタル変換器３３でディジタル化され、信号変換部３４で液晶パネルの走査用データに変換され液晶パネル４に送られる。
【００３１】
変調部３５からは特定のパルス列が生成されこのパルス列によって発光素子１２が点滅する。
【００３２】
机上に設置された受光装置１９では、作業者の姿勢によってこの信号を受光できたり、できなかったりする。
【００３３】
受光できた場合受光素子１７からの信号は信号処理部１８で特定のパルス列をもっているか照合され、一致すれば頭部装着型表示器１にその旨信号を送る。
【００３４】
信号を受けた頭部装着型表示器１は、液晶パネル照明用の光源３を点灯し、液晶によるシャッター１０ａ、１０ｂを閉じる。この事により作業者は電子計算機からの表示画面を見ることになる。
【００３５】
また、受光できなかった場合または、パルス列が一致しなかった場合は頭部装着型表示器１にその旨信号を送るため、信号を受けた頭部装着型表示器１は、液晶パネル照明用の光源３を消灯し、液晶によるシャッター１０ａ、１０ｂを開く。この事により作業者は前方の視野を見ることになる。
【００３６】
なお、電子計算機３１の表示画面と前方の視野との遠近感をそれぞれのレンズ７ａ、７ｂ、９ａ、９ｂ、１１ａ、１１ｂで調節している。
【００３８】
本発明の一実施例のブロック図を図４に示す。
【００３９】
電子計算機３１に接続され、作業者の前方の机上に置かれるインターフェイス装置４１は、電子計算機３１からの表示用信号を受け、入力アンプ３２を通りアナログ／ディジタル変換器３３でディジタル化され、信号変換部３４で液晶パネルの走査用データに変換される。さらに、変調器４２で符号化され発光素子４３を点滅させる。
【００４０】
発光素子の前にはレンズが配置されており、放射される光（例えば赤外線）は指向性を持ち特定の放射角に絞られている。
【００４１】
また、レンズと受光素子４４を備えており、頭部装着型表示器１ａから送られてくる個体識別用の信号を受信し、照合部４５で照合する。正当なものであれば、前記変調器４２で表示信号を符号化するが、不当なものであれば警告メッセージを符号化するよう制御信号を変調器４２に送る。
【００４２】
頭部装着型表示器１ａは、レンズと受光素子４６を持ち、作業者が特定の姿勢の範囲にある時前記インターフェイス装置４１からの光信号を受信する。
【００４３】
受信された信号は復調部４７で液晶パネルの走査用データに復調され、液晶パネル４に送られる。
【００４４】
また、作業者が特定の姿勢にない時は信号を受信できないため、信号の受信の有無で、光源３及び、シャッター１０ａ、１０ｂを制御し表示画面の切り替えを行なう。
【００４５】
さらに、頭部装着型表示器１ａには発光素子４９とレンズからなる光送信機構が有り、変調部４８からの個体識別用の符号を送信する。この事により異なる端末の情報を盗み見されるのを防ぐ。
【００４６】
上記実施例ではいずれも表示器が１個で表示画面を左右に分配しているが、左右独立に表示器を持たせ、立体映像の表示器とすることも可能である。
【００４７】
【発明の効果】
以上説明したように、本発明によれば、電子計算機の表示装置の容積、重量を大幅に小さくでき、狭い場所でも使用でき、搬送に困るようなことがなくなる。また、作業者は頭部装着型表示器をいちいち外すことなく見る方向を変えることによって他のものも見ることができ作業効率の低下が無い。
【００４８】
さらに、電子計算機の表示内容は作業者以外には見えず、情報を秘匿することができる。
【図面の簡単な説明】
【図１】本発明の一実施例の電子計算機の表示装置を示す図である。
【図２】本発明の電子計算機の表示装置を使用するときの概念図である。
【図３】本発明の電子計算機の表示装置の信号処理系の構成図である。
【図４】本発明の他の実施例の電子計算機の表示装置を示す図である。
【図１】
0004050351.tif 000002
【図２】
0004050351.tif 000003
【図３】
0004050351.tif 000004
【図４】
0004050351.tif 000005